(57)【要約】【課題】漏電による事故防止をなくし信頼性の高い加熱装置を提供することを目的とするものである。【解決手段】漏洩電流を検知する漏電電流検知手段８と、漏電電流検知手段８の検知出力が設定値を超えることにより動作する漏電事故防止手段９とを備えたものである。これによって、漏電電流検知手段８の検知出力が設定値を超えると漏電事故防止手段９である表示手段９ａが動作し、漏電を知らせることにより、漏電が原因で事故等が発生するのを防止し、信頼性の高い加熱装置としている。【選択図】図１
2008171607.tif 000002
【特許請求の範囲】
【請求項１】
加熱手段と、漏洩電流を検知する漏電電流検知手段と、漏電電流検知手段の漏洩電流検知により動作する漏電事故防止手段と、加熱手段の制御と漏電電流検知手段の検知出力が設定値を超えることにより漏電事故防止手段を動作するように制御する制御手段とを備えた加熱装置。
【請求項２】
漏電事故防止手段は、漏電を知らせる表示手段である請求項１に記載の加熱装置。
【請求項３】
漏電事故防止手段は、加熱手段への電力供給を遮断する電源オフ手段である請求項１に記載の加熱装置。
【請求項４】
漏電事故防止手段は、漏電を知らせる表示手段と加熱手段への電力供給を遮断する電源オフ手段であり、制御手段は漏電電流検知手段の出力が第１の設定値を超えることにより表示手段を動作させ、第１の設定値よりも大きな第２の設定値を超えることにより電源オフ手段を動作させるように制御する請求項１に記載の加熱装置。
【請求項５】
漏電電流検知手段は、接地線に流れる電流を検知するようにした請求項１〜４のいずれか１項に記載の加熱装置。
【請求項６】
漏電電流検知手段は、電源供給線に流れる電流の差を検知するようにした請求項１〜４のいずれか１項に記載の加熱装置。
【請求項７】
漏電電流検知手段の漏電電流検知特性は周波数依存性を持ち、周波数が高くなるほど出力を小さくするようにした請求項１〜６のいずれか１項に記載の加熱装置。
【発明の詳細な説明】
【技術分野】
【０００１】
本発明は、漏電事故防止対策を施した誘導加熱調理器等の加熱装置に関するものである。
【背景技術】
【０００２】
従来から２００Ｖで使用する誘導加熱調理器等の加熱装置は、漏電による感電や火災事故等の防止のためにアース処理がなされている（例えば、特許文献１参照）。
【特許文献１】特開平５−８９９５５号公報
【発明の開示】
【発明が解決しようとする課題】
【０００３】
しかしながら、前記従来の構成では、アース処理のみであり漏電による感電や火災事故等の防止が万全なものとは言い難いものである。
【０００４】
本発明は、前記従来の課題を解決するものであり、漏電による事故防止をなくし信頼性の高い加熱装置を提供することを目的とするものである。
【課題を解決するための手段】
【０００５】
前記従来の課題を解決するために、本発明の加熱装置は、漏洩電流を検知する漏電電流検知手段と、漏電電流検知手段の検知出力が設定値を超えることにより動作する漏電事故防止手段とを備えたものである。
【０００６】
これによって、漏電電流検知手段の検知出力が設定値を超えると漏電事故防止手段が動作し、漏電を知らせたり、電力供給を遮断したりする等して、漏電が原因で事故等が発生するのを防止し、信頼性の高い加熱装置としている。
【発明の効果】
【０００７】
本発明の加熱装置は、漏電による事故防止をなくし信頼性の高い加熱装置を提供できる。
【発明を実施するための最良の形態】
【０００８】
第１の発明は、加熱手段と、漏洩電流を検知する漏電電流検知手段と、漏電電流検知手段の漏洩電流検知により動作する漏電事故防止手段と、加熱手段の制御と漏電電流検知手段の検知出力が設定値を超えることにより漏電事故防止手段を動作するように制御する制御手段とを備えた加熱装置とすることにより、漏電電流検知手段の検知出力が設定値を超えると漏電事故防止手段が動作し、漏電を知らせたり、電力供給を遮断したりする等して、漏電が原因で事故等が発生するのを防止し、信頼性の高い加熱装置としている。
【０００９】
第２の発明は、特に、第１の発明において、漏電事故防止手段は、漏電を知らせる表示手段であることにより、漏電電流検知手段の出力が設定値を超えると表示手段による表示で使用者は漏電を知ることができ、漏電事故を未然に防止できる。
【００１０】
第３の発明は、特に、第１の発明において、漏電事故防止手段は、加熱手段への電力供給を遮断する電源オフ手段であることにより、漏電電流検知手段の出力が設定値を超えると漏電電源オフ手段により電力供給を遮断することができ、漏電事故を未然に防止できる。
【００１１】
第４の発明は、特に、第１の発明において、漏電事故防止手段は、漏電を知らせる表示手段と加熱手段への電力供給を遮断する電源オフ手段であり、制御手段は漏電電流検知手段の出力が第１の設定値を超えることにより表示手段を動作させ、第１の設定値よりも大きな第２の設定値を超えることにより電源オフ手段を動作させるように制御することにより、信頼性高く漏電事故を未然に防止できる。
【００１２】
第５の発明は、特に、第１〜第４のいずれか１つの発明において、漏電電流検知手段は、接地線に流れる電流を検知するようにしたことにより、漏電検知を確実に行うことができ、漏電事故を未然に防止できる。
【００１３】
第６の発明は、特に、第１〜第４のいずれか１つの発明において、漏電電流検知手段は、電源供給線に流れる電流の差を検知するようにしたことにより、漏電検知を確実に行うことができ、漏電事故を未然に防止できる。
【００１４】
流れる電流の差を検知する漏電電流検知手段を有し、漏電電流検知手段の出力が第一の設定値よりも多ければ表示手段にエラー表示を行い、漏電電流検知手段の出力が第一の設定値よりも大きい第二の設定値よりも多ければ、電源オフ手段により交流電源からの電力供給を遮断することで、漏電事故を未然に防止できる。
【００１５】
第７の発明は、特に、第１〜第６のいずれか１つの発明において、漏電電流検知手段の漏電電流検知特性は周波数依存性を持ち、周波数が高くなるほど出力を小さくするようにしたことにより、加熱装置として誘導加熱調理器の場合、誘導加熱の高周波電流で漏電機能が動作することを防止し、信頼性の高い漏電電流検知が行える。
【００１６】
以下、本発明の実施の形態について、図面を参照しながら説明する。なお、この実施の形態によって本発明が限定されるものではない。
【００１７】
（実施の形態１）
図１は、本発明の実施の形態１における加熱装置として誘導加熱調理器を例示している。
【００１８】
図に示すように、本実施の形態における加熱装置は、交流電源１と、電源スイッチ２と、電流ヒューズ３と、誘導加熱コイルよりなり鍋等を誘導加熱する加熱手段４と、金属の筐体５と、筐体５を接地した接地線６と、カレントトランス７と、カレントトランス７の出力を入力とし、漏電電流を検知する漏電電流検知手段８と、漏電電流検知手段８の漏洩電流検知により動作する漏電事故防止手段９と、加熱手段４の制御と漏電電流検知手段８の検知出力が設定値を超えることにより漏電事故防止手段９を動作するように制御する制御手段１０とを備えている。
【００１９】
そして、前記漏電事故防止手段９としては、本実施の形態では、漏電を文字等で知らせるエラー表示の表示手段９ａを採用しているが、文字等に代えて音声、ブザー、光等であってもよく、あるいは文字表示等とこれらとの組み合わせであってもよく、漏電を知らせるものであればよく特定の表示手段に限らない。
【００２０】
以上のように構成された加熱装置について、以下その動作を説明する。
【００２１】
加熱装置が誘導加熱調理器の場合、内部配線による筐体５への漏電、魚を焼くためのロースターヒータの絶縁劣化による筐体５への漏電等が発生すると、接地線６には漏電電流が流れる。その漏電電流を、カレントトランス７を通じて漏電電流検知手段８が検知し、その検知値が設定値（本実施の形態では２０ｍＡとする）よりも多ければ、制御手段１０は漏電事故防止手段９である表示手段９ａにエラー表示（本実施の形態では「Ｈ８０」とする）を行う。
【００２２】
このように、本実施の形態では、漏電電流検知手段の検知出力が設定値を超えると漏電事故防止手段９が動作し、すなわち表示手段９ａにより、使用者は漏電を知ることができ、漏電事故を未然に防止できる。
【００２３】
（実施の形態２）
図２は、本発明の実施の形態２における加熱装置として誘導加熱調理器を例示している。実施の形態１と同一要素については同一符号を付してその説明を省略する。
【００２４】
図に示すように、本実施の形態における加熱装置は、漏電電流検知手段８の漏洩電流検知により動作する漏電事故防止手段１１として、加熱手段４への電力供給を遮断するリレーで構成した電源オフ手段１１ａを採用している。本実施の形態では実施の形態１における表示手段９ａに代えて電源オフ手段１１ａが設けてある。
【００２５】
以上のように構成された加熱装置について、以下その動作を説明する。
【００２６】
加熱装置が誘導加熱調理器の場合、内部配線による筐体５への漏電、魚を焼くためのロースターヒータの絶縁劣化による筐体５への漏電等が発生すると、接地線６には漏電電流が流れる。その漏電電流を、カレントトランス７を通じて漏電電流検知手段８が検知し、その検知値が設定値（本実施の形態では２０ｍＡとする）よりも多ければ、制御手段１０は漏電事故防止手段１１である電源オフ手段１１ａをオフし、加熱手段４への電力供給を遮断する。
【００２７】
このように、本実施の形態では、漏電電流検知手段の検知出力が設定値を超えると漏電事故防止手段１１が動作し、すなわち電源オフ手段１１ａにより、加熱手段への電力供給を遮断することができ、漏電事故を未然に防止できる。
【００２８】
（実施の形態３）
図３は、本発明の実施の形態３における加熱装置として誘導加熱調理器を例示している。実施の形態１と同一要素については同一符号を付してその説明を省略する。
【００２９】
図に示すように、本実施の形態における加熱装置は、漏電電流検知手段８の漏洩電流検知により動作する漏電事故防止手段９と１１の両者を備えている。すなわち、漏電事故防止手段としては漏電を知らせる表示手段９ａと加熱手段４への電力供給を遮断する電源オフ手段１１ａを備えており、制御手段１０は漏電電流検知手段８の検知出力が第１の設定値を超えることにより表示手段９ａを動作させ、第１の設定値よりも大きな第２の設定値を超えることにより電源オフ手段１１ａを動作させるように制御するものである。
【００３０】
以上のように構成された加熱装置について、以下その動作を説明する。
【００３１】
加熱装置が誘導加熱調理器の場合、内部配線による筐体５への漏電、魚を焼くためのロースターヒータの絶縁劣化による筐体５への漏電等が発生すると、接地線６には漏電電流が流れる。その漏電電流を、カレントトランス７を通じて漏電電流検知手段８が検知し、その検知値が第１の設定値（本実施の形態では１０ｍＡとする）よりも多ければ、制御手段１０は漏電事故防止手段９である表示手段９ａにエラー表示（本実施の形態では「Ｈ８０」とする）を行う。この結果、使用者は漏電していることがわかり、漏電事故を未然に防止できる。また、その値が第２の設定値（本実施の形態では３０ｍＡとする）よりも多ければ、制御手段１０は漏電事故防止手段１１である電源オフ手段１１ａをオフし、交流電源１からの電力供給を停止する。
【００３２】
このように、本実施の形態では、漏電電流検知手段の検知出力が第１の設定値を超えると漏電事故防止手段９が動作し、すなわち表示手段９ａにより、使用者は漏電を知ることができ、第２の設定値を超えると漏電事故防止手段１１が動作し、すなわち電源オフ手段１１ａにより、加熱手段への電力供給を遮断することができ、信頼性高く漏電事故を未然に防止できる。
【００３３】
（実施の形態４）
図４は、本発明の実施の形態４における加熱装置として誘導加熱調理器を例示している。実施の形態１と同一要素については同一符号を付してその説明を省略する。
【００３４】
図に示すように、本実施の形態における加熱装置は、基本的構成は実施の形態１と同一であるが、漏電電流の検知方法が異なる。
【００３５】
すなわち、筐体５への漏電等が発生すると、接地線６には漏電電流が流れる。その結果、交流電源１から加熱手段４に電力を供給している２本の電源供給線には接地線６に流れた漏電電流分だけ差が生じる。その差を、カレントトランス７を通じて漏電電流検知手段８が検知するようにし、漏電電流検知手段８の検知出力が設定値を超えることにより、制御手段１０が漏電事故防止手段９を動作するように制御するものである。
【００３６】
以上のように構成された加熱装置について、以下その動作を説明する。
【００３７】
加熱装置の動作についても実施の形態１と同様であり、漏電等が発生すると、漏電電流検知手段８は、電源供給線に流れる電流の差を、カレントトランス７を通じて検知し、その検知値が設定値（本実施の形態では２０ｍＡとする）よりも多ければ、制御手段１０は漏電事故防止手段９である表示手段９ａにエラー表示（本実施の形態では「Ｈ８０」とする）を行う。
【００３８】
このように、本実施の形態では、漏電電流検知手段が電源供給線に流れる電流の差を検知しその検知出力が設定値を超えると漏電事故防止手段９が動作し、すなわち表示手段９ａにより、使用者は漏電を知ることができ、漏電事故を未然に防止できる。
【００３９】
（実施の形態５）
図５は、本発明の実施の形態５における加熱装置として誘導加熱調理器を例示している。実施の形態２と同一要素については同一符号を付してその説明を省略する。
【００４０】
図に示すように、本実施の形態における加熱装置は、基本的構成は実施の形態２と同一であるが、漏電電流の検知方法が異なる。
【００４１】
すなわち、筐体５への漏電等が発生すると、接地線６には漏電電流が流れる。その結果、交流電源１から加熱手段４に電力を供給している２本の電源供給線には接地線６に流れた漏電電流分だけ差が生じる。その差を、カレントトランス７を通じて漏電電流検知手段８が検知するようにし、漏電電流検知手段８の検知出力が設定値を超えることにより、制御手段１０が漏電事故防止手段１１を動作するように制御するものである。
【００４２】
以上のように構成された加熱装置について、以下その動作を説明する。
【００４３】
加熱装置の動作についても実施の形態１と同様であり、漏電等が発生すると、漏電電流検知手段８は、電源供給線に流れる電流の差を、カレントトランス７を通じて検知し、その検知値が設定値（本実施の形態では２０ｍＡとする）よりも多ければ、制御手段１０は漏電事故防止手段１１である電源オフ手段１１ａをオフし、加熱手段４への電力供給を遮断する。
【００４４】
このように、本実施の形態では、漏電電流検知手段が電源供給線に流れる電流の差を検知しその検知出力が設定値を超えると漏電事故防止手段１１が動作し、すなわち電源オフ手段１１ａにより、加熱手段への電力供給を遮断することができ、漏電事故を未然に防止できる。
【００４５】
（実施の形態６）
図６は、本発明の実施の形態６における加熱装置として誘導加熱調理器を例示している。実施の形態３と同一要素については同一符号を付してその説明を省略する。
【００４６】
図に示すように、本実施の形態における加熱装置は、基本的構成は実施の形態３と同一であるが、漏電電流の検知方法が異なる。
【００４７】
すなわち、筐体５への漏電等が発生すると、接地線６には漏電電流が流れる。その結果、交流電源１から加熱手段４に電力を供給している２本の電源供給線には接地線６に流れた漏電電流分だけ差が生じる。その差を、カレントトランス７を通じて漏電電流検知手段８が検知するようにし、その検知値が第１の設定値（本実施の形態では１０ｍＡとする）よりも多ければ、制御手段１０は漏電事故防止手段９である表示手段９ａにエラー表示（本実施の形態では「Ｈ８０」とする）を行う。この結果、使用者は漏電していることがわかり、漏電事故を未然に防止できる。また、その値が第２の設定値（本実施の形態では３０ｍＡとする）よりも多ければ、制御手段１０は漏電事故防止手段１１である電源オフ手段１１ａをオフし、交流電源１からの電力供給を停止する。
【００４８】
このように、本実施の形態では、漏電電流検知手段が電源供給線に流れる電流の差を検知しその検知出力が第１の設定値を超えると漏電事故防止手段９が動作し、すなわち表示手段９ａにより、使用者は漏電を知ることができ、第２の設定値を超えると漏電事故防止手段１１が動作し、すなわち電源オフ手段１１ａにより、加熱手段への電力供給を遮断することができ、信頼性高く漏電事故を未然に防止できる。
【００４９】
なお、各実施の形態１〜６における漏電電流検知手段８の漏電電流検知特性は周波数依存性を持ち、周波数が高くなるほど出力を小さくするようにすれば、加熱装置として誘導加熱調理器の場合、誘導加熱の高周波電流で漏電機能が動作することを防止し、信頼性の高い漏電電流検知が行える。
【産業上の利用可能性】
【００５０】
以上のように、本発明にかかる加熱装置は、漏電による事故防止をなくし信頼性の高い加熱装置を提供できるので、誘導加熱調理器としてはもちろんのこと加熱源にこだわることなく他の加熱調理器等の加熱装置として適用することができる。
【図面の簡単な説明】
【００５１】
【図１】本発明の実施の形態１における加熱装置の構成を示す回路図
【図２】本発明の実施の形態２における加熱装置の構成を示す回路図
【図３】本発明の実施の形態３における加熱装置の構成を示す回路図
【図４】本発明の実施の形態４における加熱装置の構成を示す回路図
【図５】本発明の実施の形態５における加熱装置の構成を示す回路図
【図６】本発明の実施の形態６における加熱装置の構成を示す回路図
【符号の説明】
【００５２】
１  交流電源
４  加熱手段
５  筺体
６  接地線
８  漏洩電流検知手段
９、１１  漏電事故防止手段
９ａ  表示手段
１１ａ  電源オフ手段
【図１】
2008171607.tif 000003
【図２】
2008171607.tif 000004
【図３】
2008171607.tif 000005
【図４】
2008171607.tif 000006
【図５】
2008171607.tif 000007
【図６】
2008171607.tif 000008